(57)【要約】      （修正有）【課題】ギヤ式の排水弁駆動ユニット及びアーム式の排水弁駆動ユニットのいずれも取付けることができ、また、ギヤ式の排水弁駆動ユニット及びアーム式の排水弁駆動ユニットのいずれか一方からいずれか他方に排水弁駆動ユニットを自由に交換することができる操作装置を提供する。【解決手段】本発明の操作装置２８は、洗浄水タンクの外面に回転可能に配置されるハンドル２６と、このハンドルの回転を洗浄水タンク内まで伝達する回転軸部３０と、を有し、回転軸部は、中空構造を形成する中空構造体６２と、この中空構造体の外側部分に形成され且つギヤ式の排水弁駆動ユニット３４のギヤを取付けるギヤ取付部７２と、中空構造体の内側部分に形成され且つアーム式の排水弁駆動ユニットのアームを通すアーム通過部とを備えている。【選択図】図８
2017166163.tif 000002
【特許請求の範囲】
【請求項１】
洗浄水タンク内に配置された排水弁を作動させ便器へ洗浄水の供給を開始させる洗浄水タンク装置の操作装置であって、
洗浄水タンクの外面に回転可能に配置されるハンドルと、
このハンドルの回転を上記洗浄水タンク内まで伝達する回転軸部と、を有し、
上記回転軸部は、
中空構造を形成する中空構造体と、
この中空構造体の外側部分に形成され且つギヤ式の排水弁駆動ユニットのギヤを取付けるギヤ取付部と、
上記中空構造体の内側部分に形成され且つアーム式の排水弁駆動ユニットのアームを通すアーム通過部と、を備えていることを特徴とする操作装置。
【請求項２】
上記ハンドルのアーム受け部及び上記ハンドルの上記アーム受け部に取り付けられるアームの少なくとも一方がくさび形状に形成されている請求項１記載の操作装置。
【請求項３】
上記中空構造体は、ハンドル側端部近傍の外周を内側に向かって切り欠いた切欠き部を形成し、上記中空構造体と上記ハンドルとを固定するハンドル固定部の少なくとも一部分が上記切欠き部内に配置される請求項１又は２に記載の操作装置。
【請求項４】
上記ハンドルは、上記中空構造体から外方に延び且つ上記中空構造体と上記ハンドルとを固定するハンドル固定部を、ネジにより取付ける２つのねじ穴を形成している請求項１乃至３に記載の操作装置。
【請求項５】
上記中空構造体は、その中央部分の内径が、タンク内部側端部の内径よりも小さくなるように形成されている請求項１乃至４のいずれか１項に記載の操作装置。
【請求項６】
上記請求項１乃至５に記載の操作装置を備えた洗浄水タンク装置。
【請求項７】
上記請求項６に記載の洗浄水タンク装置を備えた水洗大便器。
【発明の詳細な説明】
【技術分野】
【０００１】
本発明は、洗浄水タンク装置の操作装置に係り、特に、洗浄水タンク内に配置された排水弁を作動させ便器へ洗浄水の供給を開始させる洗浄水タンク装置の操作装置に関する。
【背景技術】
【０００２】
従来から、使用者がタンクに取り付けられた操作レバーを操作することにより操作レバーに固定されたアーム式の排水弁駆動ユニットのアームが連動し、アームに接続された鎖を引上げてタンクの排水弁を開閉させる水洗式便器が知られている。
【０００３】
また、特許文献１に示すように、使用者がタンクに取り付けられた操作ハンドルを操作することによりギヤ式の排水弁駆動ユニットを介してワイヤが引上げられ、タンクの排水弁を開閉させる水洗式便器が知られている。
【０００４】
このような水洗大便器のハンドル部は、取付けるタンクの形状、タンク上の右側又は左側等の設置位置、右回転又は左回転等の操作方向、大洗浄又は小洗浄等に対応する操作角度の大きさ、ハンドル部と接続される駆動ユニットのタイプ、又は要求される洗浄水量を排出する排水弁装置のタイプによって、さまざまな仕様があり、複数の品揃えが必要とされてきた。
ハンドル部と接続される駆動ユニットのタイプとしては、上述のようなアームにより鎖を引上げるアーム式の排水弁駆動ユニット、ギヤを利用してワイヤを引上げるギヤ式の排水弁駆動ユニット等がある。例えば、ギヤ式の排水弁駆動ユニットは、ワイヤの引上げ量を詳細に調整することができるため、通常の洗浄水量を排出する排水弁装置の他に、節水化に対応した比較的少ない洗浄水量を排出する排水弁装置と組み合わせて使用することもできる。一方で、アーム式の排水弁駆動ユニットは、比較的安価に製造できるため、安価な水洗大便器を製造する上で必要とされる場合もある。
【０００５】
上述のようなハンドル部、駆動ユニットのタイプ及び排水弁装置の組合せにより、安価で収益率の高い水洗大便器、又は節水化に対応する水洗大便器等のさまざまなタイプのニーズに応えることが必要とされている。
【先行技術文献】
【特許文献】
【０００６】
【特許文献１】特開２０１４−１９０１３１号公報
【発明の概要】
【発明が解決しようとする課題】
【０００７】
しかしながら、このように多種の装置の組合せにより多種の水洗大便器を製造する場合には、生産効率の低下、部品の種類の増大による製造コスト、修理用部品の管理コスト等も大きくなるという問題が生じていた。
【０００８】
従って、使用者に提供できる水洗大便器のタイプを減らさずに、生産効率の低下を防ぎ、部品の種類の増大による製造コストを抑制する方法が発明者らによって検討されている。
本発明の発明者らは、鋭意研究の結果、アーム式の排水弁駆動ユニット及びギヤ式の排水弁駆動ユニットのいずれにも取付けて使用することができる共通のハンドル構造を開発することが出来れば、ハンドル構造を共通して製造することができ、使用者の選択できる水洗大便器のタイプを減らさずに、生産効率の低下を防ぎ、部品の種類の増大による製造コストを抑制することができるという知見に至った。
【０００９】
そこで、本発明は、上述した従来技術の問題点と課題を解決するためになされたものであり、ギヤ式の排水弁駆動ユニット及びアーム式の排水弁駆動ユニットのいずれも取付けることができ、また、ギヤ式の排水弁駆動ユニット及びアーム式の排水弁駆動ユニットのいずれか一方からいずれか他方に排水弁駆動ユニットを自由に交換することができる操作装置を提供することを目的としている。
【課題を解決するための手段】
【００１０】
上記の目的を達成するために、本発明は、洗浄水タンク内に配置された排水弁を作動させ便器へ洗浄水の供給を開始させる洗浄水タンク装置の操作装置であって、洗浄水タンクの外面に回転可能に配置されるハンドルと、このハンドルの回転を洗浄水タンク内まで伝達する回転軸部と、を有し、回転軸部は、中空構造を形成する中空構造体と、この中空構造体の外側部分に形成され且つギヤ式の排水弁駆動ユニットのギヤを取付けるギヤ取付部と、中空構造体の内側部分に形成され且つアーム式の排水弁駆動ユニットのアームを通すアーム通過部と、を備えていることを特徴としている。
このように構成された本発明においては、回転軸部は、中空構造体の外側に形成されたギヤ取付部によりギヤ式の排水弁駆動ユニットのギヤを取付けることができ、且つ中空構造体の内側に形成されたアーム通過部を通してアーム式の排水弁駆動ユニットのアームをハンドルに取付けることができるので、ギヤ式の排水弁駆動ユニット及びアーム式の排水弁駆動ユニットのいずれも取付けることができ、また、ギヤ式の排水弁駆動ユニット及びアーム式の排水弁駆動ユニットのいずれか一方からいずれか他方に排水弁駆動ユニットを自由に交換することができる。
【００１１】
本発明において、好ましくは、上記ハンドルのアーム受け部及び上記ハンドルの上記アーム受け部に取り付けられるアームの少なくとも一方がくさび形状に形成されている。
このように構成された本発明においては、ハンドルのアーム受け部及びこのアーム受け部に取り付けられるアームの少なくとも一方がくさび形状に形成されているので、アームをアーム受け部に強固に固定することができる。
【００１２】
本発明において、好ましくは、中空構造体は、ハンドル側端部近傍の外周を内側に向かって切り欠いた切欠き部を形成し、中空構造体とハンドルとを固定するハンドル固定部の少なくとも一部分が上記切欠き部内に配置される。
このように構成された本発明においては、中空構造体とハンドルとのハンドル固定部の少なくとも一部分が切欠き部内に配置されるので、中空構造体とハンドルとのハンドル固定部の半径方向の寸法の増大を抑制することができ、中空構造体とハンドルとを比較的小さい大きさに形成することができる。
【００１３】
本発明において、好ましくは、ハンドルは、中空構造体から外方に延び且つ中空構造体とハンドルとを固定するハンドル固定部を、ネジにより取付ける２つのねじ穴を形成している。
このように構成された本発明においては、ハンドルがハンドル固定部をネジにより取り付ける２つのねじ穴を形成しているので、ハンドルを洗浄水タンクの左側又は右側のいずれの外面に取付けられるかに対応して、中空構造体から外方に延びるハンドル固定部をいずれのねじ穴に固定するかによって、中空構造体を含む操作装置の向きを適切な向きに選択することができる。
【００１４】
本発明において、好ましくは、中空構造体は、その中央部分の内径が、タンク内部側端部の内径よりも小さくなるように形成されている。
このように構成された本発明においては、中空構造体の中央部分の内径が、そのタンク内部側端部の内径よりも小さくなるように形成されているので、中空構造体の中央部分の肉厚を厚くさせることができ、中空構造体の回転に起因するねじれや折れ等に対する強度を向上させることができる。
【００１５】
つぎに、本発明は、上記操作装置を備えた洗浄水タンク装置である。
このように構成された本発明においては、ギヤ式の排水弁駆動ユニット及びアーム式の排水弁駆動ユニットのいずれも取付けることができる操作装置を備えた洗浄水タンク装置を提供することができる。
【００１６】
つぎに、本発明は、上記洗浄水タンク装置を備えた水洗大便器である。
このように構成された本発明においては、ギヤ式の排水弁駆動ユニット及びアーム式の排水弁駆動ユニットのいずれも取付けることができる操作装置を備えた水洗大便器を提供することができる。
【発明の効果】
【００１７】
本発明の操作装置によれば、ギヤ式の排水弁駆動ユニット及びアーム式の排水弁駆動ユニットのいずれも取付けることができ、また、ギヤ式の排水弁駆動ユニット及びアーム式の排水弁駆動ユニットのいずれか一方からいずれか他方に排水弁駆動ユニットを自由に交換することができる。
【図面の簡単な説明】
【００１８】
【図１】本発明の一実施形態による操作装置を備えた洗浄水タンク装置が適用された水洗大便器において、便座及び便蓋を取り外した状態を示す斜視図である。
【図２】本発明の一実施形態による操作装置にアーム式の排水弁駆動ユニットを適用している場合における洗浄水タンク装置の内部構造を示す正面断面図である。
【図３】本発明の一実施形態による操作装置にアーム式の排水弁駆動ユニットを適用している場合における内部構造を示す分解斜視図である。
【図４】本発明の一実施形態による操作装置の中央断面図である。
【図５】本発明の一実施形態による操作装置にアーム式の排水弁駆動ユニットを適用している場合における操作装置を示す斜視図である。
【図６】本発明の一実施形態による操作装置のハンドルを洗浄水タンク側から見て示す概略斜視図である。
【図７】本発明の一実施形態による操作装置にギヤ式の排水弁駆動ユニットを適用している場合における洗浄水タンク装置の内部構造を示す正面断面図である。
【図８】本発明の一実施形態による操作装置にギヤ式の排水弁駆動ユニットを適用している場合における内部構造を示す分解斜視図である。
【図９】本発明の一実施形態による操作装置の中央断面図である。
【図１０】本発明の一実施形態による操作装置に適用されるギヤ式の排水弁駆動ユニットの内部構造を示す斜視図である。
【図１１】本発明の一実施形態による操作装置の回転軸部を示す斜視図である。
【図１２】本発明の一実施形態による操作装置の回転軸部の中央断面図である。
【発明を実施するための形態】
【００１９】
つぎに、添付図面により、本発明の一実施形態による洗浄水タンク装置の操作装置、この操作装置を備えた洗浄水タンク装置、及び、この洗浄水タンク装置を備えた水洗大便器について説明する。
まず、図１により、本発明の一実施形態による操作装置を備えた洗浄水タンク装置が適用された水洗大便器について説明する。
図１は、本発明の一実施形態による操作装置を備えた洗浄水タンク装置が適用された水洗大便器において、便座及び便蓋を取り外した状態を示す斜視図である。以下、本発明の実施形態における説明において、便器本体２を前方から見て右側を右側とし、前方から見て左側を左側として説明している。
【００２０】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通する排水トラップ管路６がそれぞれ形成されている。
便器本体２のボウル部４の上縁部には、内側にオーバーハングしたリム８と、便器本体２の後方側の内部に形成される導水路（図示せず）から供給される洗浄水を吐水する第１吐水口１０が形成され、この第１吐水口１０から吐水された洗浄水は、旋回しながら下降してボウル部４を洗浄するようになっている。
【００２１】
ボウル部４の下方には、溜水面が鎖線Ｗ０で示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ０の上方位置には、便器本体２の後方側の内部に形成される導水路（図示せず）から供給される洗浄水を吐水する第２吐水口１４が形成され、この第２吐水口１４から吐水される洗浄水が溜水部１２の溜水を上下方向に旋回させる旋回流を生じさせるようになっている。
【００２２】
便器本体２の後方側の上面には、便器本体２に供給する洗浄水を貯水する洗浄水タンク装置１６が設けられている。
なお、本実施形態では、上述したサイホン式の水洗大便器に洗浄水タンク装置１６を適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２３】
つぎに、図２により、洗浄水タンク装置１６の内部構造について説明する。
図２は、本発明の一実施形態による操作装置にアーム式の排水弁駆動ユニットを適用している場合における洗浄水タンク装置の内部構造を示す正面断面図である。なお、図２においては、洗浄水タンク１８の満水水位及び死水水位をＷＬ及びＤＷＬで示している。
図２に示すように、洗浄水タンク装置１６は、水洗大便器１を洗浄する洗浄水を貯水する洗浄水タンク１８を備え、この洗浄水タンク１８の底部には、便器本体２の導水路（図示せず）と連通する排水口２０が形成され、洗浄水タンク１８内の洗浄水が便器本体２の導水路（図示せず）へと供給されるようになっている。また、洗浄水タンク１８は、便器の種類に応じて、貯水する洗浄水の量が異なっている。
【００２４】
図２に示すように、洗浄水タンク装置１６の洗浄水タンク１８内には、この洗浄水タンク１８内に洗浄水を供給する洗浄水供給装置である洗浄水供給装置２２と、洗浄水タンク１８に貯えられた洗浄水について排水口２０を開放して便器本体２の導水路（図示せず）に流出させる排水弁装置２４と、洗浄水タンク１８の外面に回転可能に取り付けられたハンドル２６が回転する場合に排水弁装置２４の弁体（図示せず）を物理的に引き上げるための操作装置２８と、が設けられている。
【００２５】
操作装置２８は、アーム式の排水弁駆動ユニットが適用されている場合には、洗浄水タンク１８の外部に回転可能に取り付けられたハンドル２６を洗浄操作を実行させる方向に回動操作を行うことによりハンドル２６に連結されたアーム部材３９（図６参照）が回動して、アーム部材３９の先端に取付けられた鎖３７を引上げ、鎖３７が接続された排水弁装置２４の弁体（図示せず）を物理的に引き上げる操作装置となっている。
【００２６】
排水弁装置２４の構成については、従来の排水弁装置の構成と同様であるため、具体的な説明は省略するが、排水弁装置２４はいわゆる直動式の排水弁装置であり、排水弁装置２４内で後述する鎖３７が排水弁装置２４の弁体（図示せず）に接続しており、鎖３７が上下方向に移動する移動量が排水弁装置２４の弁体（図示せず）の上下方向の移動量に対応するようになっている。ハンドル２６の回動操作を行うことにより、鎖３７が連動して排水弁装置２４の弁体（図示せず）を引き上げると、水洗大便器１へ洗浄水の供給が開始され、排水口２０が所定時間開放され、洗浄水タンク１８内の洗浄水が便器本体２の導水路（図示せず）に一定量排出されるようになっている。
【００２７】
つぎに、図２乃至図６を参照して、本発明の一実施形態による操作装置２８にアーム式の排水弁駆動ユニットを適用している構造の詳細について説明する。
先ず、図３は本発明の一実施形態による操作装置にアーム式の排水弁駆動ユニットを適用している場合における内部構造を示す分解斜視図であり、図４は本発明の一実施形態による操作装置の中央断面図であり、図５は本発明の一実施形態による操作装置にアーム式の排水弁駆動ユニットを適用している場合における操作装置を示す斜視図であり、図６は本発明の一実施形態による操作装置のハンドルを洗浄水タンク側から見て示す概略斜視図である。
【００２８】
図２乃至図６に示すように、本発明の一実施形態による操作装置２８は、洗浄水タンク１８外側の便器前方から見て左側の左側側面１８ａに配置され且つ使用者が回転操作を行うことにより回転動作をするハンドル２６と、使用者がハンドル２６の回転操作を行った場合に、ハンドル２６を待機状態の位置に戻すように力を作用させるばね（図示せず）と、ハンドル２６の回転動作を洗浄水タンク１８内まで伝達する回転軸部３０と、回転軸部３０を回転可能に支持する回転軸部ガイド３２と、ハンドル２６に接続され且つ、ハンドル２６の回転動作を伝達して鎖３７を移動させるアーム式の排水弁駆動ユニット３３と、アーム式の排水弁駆動ユニット３３と排水弁装置２４とを連結し、且つ自身の移動により排水弁装置２４の弁体（図示せず）を開閉させる鎖３７と、洗浄水タンク１８の外面側においてハンドル２６と回転軸部３０との取付け部分の外周を覆うように配置されるカバー部４０と、洗浄水タンク１８の内面側において回転軸部ガイド３２の外周に取り付けられ且つ洗浄水タンク１８の壁１８ｂをカバー部４０との間で挟み込むようにして回転軸部ガイド３２を洗浄水タンク１８に対して固定するナット４２と、を有している。
【００２９】
ハンドル２６は、洗浄水タンク１８の左側側面１８ａに取付けられる左側ハンドルであり、使用者が手指等で下方に作用させるための持ち手部分２６ａが形成されている。使用者が持ち手部分２６ａを持って押し込むように回転させることにより、ハンドル２６が回転軸部３０を中心として回転する動作を発生させるようになっている。
なお、ハンドル２６は、洗浄水タンク１８の右側側面又は前面（正面）に取り付けられる回転ハンドルであってもよい。
【００３０】
回転軸部３０は、洗浄水タンク１８の外側から内側まで貫通して延びるように形成され、洗浄水タンク１８の左右方向に水平に配置されている。回転軸部３０は、洗浄水タンク１８の外部においてハンドル２６と嵌合され、洗浄水タンク１８の内部において排水弁駆動ユニット３４に接続されている。
【００３１】
鎖３７は、一端がアーム式の排水弁駆動ユニット３３のアーム部材３９の先端部に接続され、他端が排水弁装置２４の弁体（図示せず）と接続されている。
【００３２】
次に、図２乃至図５を参照して、本発明の一実施形態による操作装置にアーム式の排水弁駆動ユニット３３が適用されている構造について説明する。
アーム式の排水弁駆動ユニット３３は、ハンドル２６に取付けられてハンドル２６の回転力が伝達されるアーム部材３９（アーム）を備えている。
【００３３】
図３に示すように、アーム部材３９は、大部分の断面が円形に形成された棒状の部材である。アーム部材３９は、回転軸部３０及びハンドル２６内に挿入される直線状の基部３９ａと、アーム部材３９の先端側の端部を形成している先端部３９ｂと、基部３９ａと先端部３９ｂとの間で屈曲する屈曲部３９ｃとを備えている。アーム部材３９は、基部３９ａがハンドル２６により回転される場合に、鎖３７を上昇させて排水弁を開くために十分な移動量まで移動させるように、先端部３９ｂをこの十分な移動量分だけ上昇させるため、基部３９ａと先端部３９ｂとの間で屈曲する屈曲部３９ｃを設け、基部３９ａの回転量に対する先端部３９ｂの回転量、すなわち先端部３９ｂの移動量を増幅（増大）させるようになっている。なお、屈曲部３９ｃは１つであってもよいし、２つ以上設けられていてもよい。アーム部材３９は、回転軸部３０の回転軸心Ｃを中心とし、ハンドル２６の回転量と同じ回転量の回転をするように形成されている。
基部３９ａは、円形断面を有する棒状の部材の基部両側面３９ｄを平坦面として形成するようにつぶした楔形状を有している。別の言い方によれば、基部３９ａは、先細のテーパー形状に形成され且つその基部両側面３９ｄが平坦面となるように形成されている。
【００３４】
ハンドル２６は、後述するハンドル取付部６６と嵌合する回転軸部係合部７６と、アーム部材３９と嵌合するアーム受け部７８とを備えている。
回転軸部係合部７６は、その内周面に形成された溝部７０を備えている。
アーム受け部７８は、ハンドル２６の中央部分において回転軸心Ｃに沿ってトンネル状の穴部を形成している。アーム受け部７８は、その穴部の穴部両側面７８ａを平坦面になるように形成し、穴部両側面７８ａの間の面７８ｂ（例えば天面及び底面）がそれぞれ外側に膨らむような円弧を形成している。ハンドル２６のアーム受け部７８及びハンドル２６のアーム受け部７８に取り付けられるアーム部材３９の少なくとも一方がくさび形状に形成されていればよい。
【００３５】
このようなくさび形状は、アーム部材３９の基部３９ａの基部両側面３９ｄの間の距離がハンドル２６側に向かって徐々に狭められることによって形成されている。同様に、アーム受け部７８の穴部両側面７８ａの間の距離もハンドル２６側に向かって徐々に狭められるように形成されている。基部両側面３９ｄと穴部両側面７８ａとの傾斜はほぼ同一の傾斜を有するように形成され、基部両側面３９ｄと穴部両側面７８ａとが合致し且つ面により接合されやすくなっている。アーム式の排水弁駆動ユニット３３のアーム部材３９の基部３９ａは、アーム受け部７８内に挿入され且つ固定される。アーム部材３９の基部３９ａは、アーム受け部７８内に比較的大きな圧力をかけて挿入される。楔形状の基部３９ａがアーム受け部７８内に圧力をかけて挿入されるとき、基部両側面３９ｄが穴部両側面７８ａと面で接するようにして固定され、アーム部材３９がアーム受け部７８に対して回転できないように強固に固定される。
【００３６】
本発明の一実施形態による操作装置２８は、使用者が主に左手によって操作しやすいように洗浄水タンク１８の左側側面１８ａに取付けられる操作装置であるが、使用者が主に右手によって操作しやすいように洗浄水タンク１８の右側側面１８ｃに取付けられる操作装置、又は、使用者が主に右手及び左手のいずれの手によっても操作しやすいように洗浄水タンク１８の前面１８ｄに取付けられる操作装置、であってもよい。
【００３７】
上述のような構成により、本実施形態においては、例えば、ハンドル２６が７５度回転されるとき、アーム部材３９の基部３９ａが７５度回転され、基部３９ａが７５度回転されるとき、先端部３９ｂが７５度回転操作され、先端部３９ｂが回転軸心Ｃから離れているので、増幅された移動量により回転移動（引上げられる移動）される。
【００３８】
アーム式の排水弁駆動ユニット３３は、上述のように、ハンドル２６に取付けられてハンドル２６の回転力が伝達されるアーム部材３９を備えているアーム式の排水弁駆動ユニットを構成している。アーム式の排水弁駆動ユニット３３は、比較的簡単な構成により形成することができ、製造コスト及び部品コストを低減させることができる。また、アーム式の排水弁駆動ユニット３３は、アーム部材３９を金属で形成することにより、耐久性が高く、頑丈に形成されることができる。
【００３９】
なお、本実施形態においては、アーム式の排水弁駆動ユニット３３は、ハンドル２６に取付けられて使用者が操作するハンドル２６の手動の回転操作力が伝達されるアーム部材３９を備えているアーム式の排水弁駆動ユニットを構成しているが、他の実施形態においては、アーム式の排水弁駆動ユニット３３は、電動モーター（駆動源）と、この電動モーターが回転させるハンドル２６の電動の回転操作力が伝達されるアーム部材３９と、を備えているアーム式の排水弁駆動ユニットを構成していてもよい。
【００４０】
次に、図４に示すように、カバー部４０は、回転軸部ガイド３２と係合し且つ回転軸部ガイド３２を洗浄水タンク１８に固定させるように形成されている。
【００４１】
次に、図３乃至図５、図１１及び図１２により、回転軸部３０について説明する。
回転軸部３０は、筒状の中空構造を形成する中空構造体６２と、中空構造体６２の内側部分に形成され且つアーム式の排水弁駆動ユニットのアームを通過させるアーム通過部７４と、を備えている。
【００４２】
図１２に示すように、中空構造体６２は、円管のような筒形状を形成している。中空構造体６２は、洗浄水タンク１８の外部から洗浄水タンク１８の壁１８ｂを通り内部まで延びる所定長さを有している。中空構造体６２は、内側にアーム部材３９を挿入し且つ配置することができるような内径を有している。中空構造体６２は、回転軸部ガイド３２内に配置され且つ自身がハンドル２６の回転に合わせて回転可能に形成されている。中空構造体６２は、回転軸部ガイド３２内に配置され且つ支持された状態で回転可能であるため、少なくとも回転軸部ガイド３２内に配置されている部分については、ほぼ円筒形状の外形を有している。中空構造体６２は、ハンドル２６に取り付けられた状態で、ハンドル２６のスピンドルを構成し、回転軸心Ｃを中心として回転可能な筒状の構造によりハンドル２６の回転力を伝達する機能を有している。中空構造体６２は、アーム式の排水弁駆動ユニット３３のアーム部材３９をアーム通過部７４を通すように取付ける場合には、アーム部材３９の軸受け及び抜け止めの機能を有している。また、回転軸部３０は、外周に沿って凸部３０ａが形成され、この凸部３０ａが回転軸部ガイド３２の内周面と係合することにより、中空構造体６２は抜止めの機能を有している。
【００４３】
図４及び図１２に示すように、アーム通過部７４は、中空構造体６２の内側向きの内周面を形成している。アーム通過部７４において、中空構造体６２の長手方向の中央部分７４ａの内径が中空構造体６２のハンドル側端部７４ｂの内径及び中空構造体６２のタンク内部側端部７４ｃの内径よりも小さくなるように形成されている。すなわち、中空構造体６２の長手方向の中央部分７４ａの内径Ｄ１＜ハンドル側端部７４ｂの内径Ｄ２となっており、中空構造体６２のハンドル側端部７４ｂから中央部分７４ａに向かって内径が徐々に縮径するように形成され、テーパー状の漏斗形状を形成している。また、中空構造体６２の長手方向の中央部分７４ａの内径Ｄ１＜タンク内部側端部７４ｃの内径Ｄ３となっており、中空構造体６２のタンク内部側端部７４ｃから中央部分７４ａに向かって内径が徐々に縮径するように形成され、テーパー状の漏斗形状を形成している。よって、中空構造体６２の内径は中空構造体６２の長手方向の中央部分７４ａの内径Ｄ１が最も小さくなるように形成されている。中空構造体６２の長手方向の中央部分７４ａについては、内径が小さく形成されているので、中空構造体６２が回転力を伝達する際に必要な強度（ねじれに対する強度、折れに対する強度等）を有することができる。さらに、中空構造体６２のタンク内部側端部７４ｃの内径Ｄ３を中央部分７４ａの内径Ｄ１よりも大きく形成することにより、アーム部材３９を内部に挿入する際にアーム部材３９を挿入しやすくすることができ、組立性を向上させることができる。一方、中空構造体６２の外径は、タンク内部側端部７４ｃから中央部分７４ａを介してハンドル側端部７４ｂまでほぼ一定である。
【００４４】
中空構造体６２の長手方向の中央部分７４ａの内径Ｄ１は、タンク内部側端部７４ｃの内径Ｄ３よりも小さく形成されているので、中空構造体６２の中央部分７４ａの肉厚を厚くさせることができ、中空構造体６２全体として、中空構造体６２の回転に起因するねじれや折れ等に対する強度を向上させることができ、また、特に中央部分７４ａ近傍においてねじれや折れ等に対する強度を向上させることができる。
【００４５】
中空構造体６２は、中空構造体６２のハンドル側端部近傍の外周を内側に向かって切り欠いた切欠き部６２ａを形成している。切欠き部６２ａは、中空構造体６２の外側から内側に向かって円弧状に構造体の一部分を削り取るようにして形成されている。切欠き部６２ａは中空構造体６２の外部から内部空間まで到達している。
中空構造体６２とハンドル２６とを固定するハンドル固定部６４の少なくとも一部分が切欠き部６２ａ内に配置される。ハンドル固定部６４は、中空構造体６２の外周から外側の位置よりも外周から内側の位置に寄せられるように配置されることができる。ハンドル固定部６４を中空構造体６２の内部側に寄せて配置することができるので、ハンドル固定部６４の半径方向の外側端までの寸法の大きさ、すなわち回転軸部３０の回転軸心Ｃから見て回転軸部３０の外形の寸法の大きさの増大を抑制し、回転軸部３０の外形の寸法の大きさを比較的小さく形成することができる。
【００４６】
本発明の一実施形態による操作装置２８は、アーム部材３９をハンドル２６に取付けて使用する場合において、回転軸部３０がハンドル２６と係合しており、且つ回転軸部３０がハンドル２６の回転に合わせて回転される。そして、回転軸部３０は洗浄水タンク１８側に支持されている。よって、ハンドル２６の回転動作を比較的安定させることができ、従来のアーム部材３９をハンドル２６に取付けるだけの構造と比べて、本実施形態のハンドル２６に回転軸部３０が取付けられている構造によれば回転動作を滑らかにすることができ且つがたつき等を抑制することができる。よって、アーム式の排水弁駆動ユニット３３を使用した場合においても、使用者に安定した使用感を与えることも可能となる。
【００４７】
次に、図７乃至図１２により、本発明の一実施形態による操作装置２８には、ギヤ式の排水弁駆動ユニットも適用できるため、一実施形態による操作装置２８にギヤ式の排水弁駆動ユニットを適用した場合の構造を説明する。
ここで、本発明の一実施形態による操作装置２８にギヤ式の排水弁駆動ユニット３４を適用した場合の構造について、本発明の一実施形態による操作装置にアーム式の排水弁駆動ユニット３３を適用した場合の構造について既に説明した同一の部分については同一の符号を付し、それらの説明は省略する。
図７は本発明の一実施形態による操作装置にギヤ式の排水弁駆動ユニットを適用している場合における洗浄水タンク装置の内部構造を示す正面断面図であり、図８は本発明の一実施形態による操作装置にギヤ式の排水弁駆動ユニットを適用している場合における内部構造を示す分解斜視図であり、図９は本発明の一実施形態による操作装置の中央断面図であり、図１０は本発明の一実施形態による操作装置に適用されるギヤ式の排水弁駆動ユニットの内部構造を示す斜視図であり、図１１は本発明の一実施形態による操作装置の回転軸部を示す斜視図であり、図１２は本発明の一実施形態による操作装置の回転軸部の中央断面図である。
【００４８】
操作装置２８は、ギヤ式の排水弁駆動ユニット３４が適用されている場合には、洗浄水タンク１８の外部に回転可能に取り付けられたハンドル２６を洗浄操作を実行させる方向に回動操作を行うことによりハンドル２６に連結された操作ワイヤ３８（図７参照）が連動して排水弁装置２４の弁体（図示せず）を物理的に引き上げる操作装置となっている。
【００４９】
排水弁装置２４の構成については、従来の排水弁装置の構成と同様であるため、具体的な説明は省略するが、排水弁装置２４はいわゆる直動式の排水弁装置であり、排水弁装置２４内で後述する操作ワイヤ３８が排水弁装置２４の弁体（図示せず）に接続しており、操作ワイヤ３８が移動する移動量が排水弁装置２４の弁体（図示せず）の上下方向の移動量に対応するようになっている。ハンドル２６の回動操作を行うことにより、操作ワイヤ３８が連動して排水弁装置２４の弁体（図示せず）を引き上げると、水洗大便器１へ洗浄水の供給が開始され、排水口２０が所定時間開放され、洗浄水タンク１８内の洗浄水が便器本体２の導水路（図示せず）に一定量排出されるようになっている。
【００５０】
図７乃至図１２に示すように、本発明の一実施形態による操作装置２８は、ハンドル２６の回転動作を洗浄水タンク１８内まで伝達する回転軸部３０と、回転軸部３０を回転可能に支持する回転軸部ガイド３２と、洗浄水タンク１８内の満水水位ＷＬより上方に配置され且つ、回転軸部３０の回転動作を伝達して操作ワイヤ３８を移動させるギヤ式の排水弁駆動ユニット３４と、回転軸部３０と回転軸部ガイド３２と排水弁駆動ユニット３４とを締結する止め輪３６と、排水弁駆動ユニット３４と排水弁装置２４とを連結し、且つ自身の移動により排水弁装置２４の弁体（図示せず）を開閉させる操作ワイヤ３８と、を有している。
【００５１】
操作ワイヤ３８は、排水弁駆動ユニット３４内部から排水弁装置２４内部まで延びる可撓性のチューブ４４の中を通され、排水弁駆動ユニット３４内部に向けて開放されるチューブ４４の一端から排水弁駆動ユニット３４内部に延ばされている。操作ワイヤ３８は、チューブ４４内を摺動可能に配置されている。
【００５２】
次に、図１０を参照して、本発明の一実施形態による操作装置の排水弁駆動ユニット３４について説明する。
排水弁駆動ユニット３４は、回転軸部３０に取り付けられて回転軸部３０の回転力が伝達される回転歯車部材４６と、回転歯車部材４６の回転が歯車（ギヤ）を介して伝達されて自身の回転方向に沿って操作ワイヤ３８を巻き取る回転巻取部材４８と、回転歯車部材４６及び回転巻取部材４８を内部に収納するように形成されたカバー部材５０と、を備えている。
なお、カバー部材５０は、チューブ４４を取付けるチューブ取付部５０ａを備えている。
【００５３】
回転歯車部材４６は、ギヤ式の排水弁駆動ユニット３４内において第一ギヤの機能を有している。回転歯車部材４６は、回転軸部３０と連動して同じ回転をするように回転軸部３０に取付けられる回転軸部取付部５２と、外歯が形成された第一歯車部５４とを備えている。
回転軸部取付部５２は、回転歯車部材４６の中心部の内周において内歯を形成している。回転軸部取付部５２の内歯が、回転軸部３０の後述するギヤ取付部７２の外歯と係合することにより、回転軸部３０の回転力が回転歯車部材４６の回転力として伝達され、回転軸部３０と回転歯車部材４６とが同じ回転をする。よって、回転歯車部材４６は、回転軸部３０の回転軸心Ｃを中心とし、回転軸部３０の回転量と同じ回転量の回転をするように形成されている。
第一歯車部５４は、外周上にギヤを形成している。第一歯車部５４は、外周円の少なくとも一部分において形成されている。第一歯車部５４は、回転軸部３０の半径より大きな半径を有するように形成されている。
【００５４】
回転巻取部材４８は、第一歯車部５４と噛み合う外歯が形成された第二歯車部５６と、自身の回転方向に沿って操作ワイヤ３８を巻き取る回転巻取部５８とを備えている。
回転巻取部材４８は、回転歯車部材４６（第一ギヤ）と係合する第二ギヤの機能を有している。
第二歯車部５６は、円周の約３分の２ほどの長さの弧上の第二外周部４８ｂにおいて形成されている。第二歯車部５６は、第一歯車部５４の半径より小さな半径を有するように形成されている。
回転巻取部５８は、円周の約３分の１ほどの長さの弧上の第一外周部４８ａにおいてプーリー部５８ａを形成し且つ自身の回転方向に沿って操作ワイヤ３８をプーリー部５８ａに沿って巻き取る。回転巻取部材４８は、さらに、第一外周部４８ａ上の円周弧の上側端に形成され且つ第一外周部４８ａ上のプーリー部５８ａに沿わせて操作ワイヤ３８を固定する固定部６０、を備えている。
【００５５】
回転巻取部材４８は、回転軸部３０の回転とは独立して自在に回転可能にカバー部４０に取付けられている。回転巻取部材４８は、第二歯車部５６と、回転巻取部５８とが共通の回転中心軸を有する同一平面上の一枚の回転ディスク状部材として形成されている。
回転巻取部材４８の回転中心軸から第二歯車部５６までの回転半径は、回転歯車部材４６の回転中心軸（回転軸心Ｃ）から第一歯車部５４までの回転半径よりも小さいので、回転軸部３０から第一歯車部５４に伝達された回転量が、第二歯車部５６に伝達されるときに増幅（増大）され、回転巻取部材４８の増大された回転量となる。回転歯車部材４６と、回転巻取部材４８とのギヤ比に応じて、回転量が増幅されている。従って、使用者がハンドル２６を回転する回転量を比較的小さく設定した場合においても、回転巻取部材４８の回転量を比較的大きく設定することが可能となり、操作ワイヤ３８を十分な引き上げ量且つ意図する精確な引き上げ量まで引き上げることが可能となる。また、使用者がハンドル２６を回転する回転操作力を比較的小さく抑えた状態においても、回転巻取部材４８を巻き上げに必要な所定の回転量まで回転させることが可能となり、使用者のハンドル２６の操作力を軽くすることができる。
【００５６】
プーリー部５８ａは、半径方向内側に凹まされた溝状に形成している。従って、操作ワイヤ３８が溝状のプーリー部５８ａ内に嵌まりながらプーリー部５８ａから左右方向に外れることなくプーリー部５８ａに沿って巻き取られることが可能になる。
固定部６０は、回転巻取部５８の上端の溝と連続した内部空間を形成し、回転巻取部材４８の外側に向かって開口するコの字形状に形成されている。従って、操作ワイヤ３８の駆動ユニット側端部３８ａがコの字形状の固定部に嵌合して固定でき、且つ操作ワイヤ３８がプーリー部５８ａに沿うように回転巻取部材４８の外周の接線方向に向かって固定されるようになっている。
【００５７】
上述のような構成により、本実施形態においては、例えば、回転軸部３０が７５度回転されるとき、回転歯車部材４６が７５度回転され、回転歯車部材４６の第一歯車部５４が７５度回転されるとき、第一歯車部５４と係合する第二歯車部５６が１２５度回転操作され、回転巻取部５８が増幅された１２５度の回転量により回転される。
回転歯車部材４６の第一歯車部５４、及び回転巻取部材４８の第二歯車部５６は、回転歯車部材４６の回転角度に対し、回転巻取部材４８の回転角度を、操作ワイヤ３８を排水弁を開閉するために十分な移動量まで確実に移動させることができる角度まで、増大させることができるようなギヤ比に構成され、これらの第一歯車部５４及び第二歯車部５６のギヤ比は変更可能である。
【００５８】
排水弁駆動ユニット３４は、上述のように、回転軸部３０に取り付けられて回転軸部３０の回転力が伝達される回転歯車部材４６と、回転歯車部材４６の回転が歯車（ギヤ）を介して伝達されて自身の回転方向に沿って操作ワイヤ３８を巻き取る回転巻取部材４８と、を備えているギヤ式の排水弁駆動ユニットを構成している。ギヤ式の排水弁駆動ユニットは、比較的簡単な構成により、回転軸部３０の回転量に対して、回転巻取部材４８により操作ワイヤ３８を巻き取る巻取り量、すなわち、操作ワイヤ３８を引き上げる引き上げ量を精度よく且つ安定して規定することができ、操作ワイヤ３８によって引き上げられる排水弁の開度を精確に調整及び変更することができ、よって、洗浄水タンク１８から排出される洗浄水量を精確に設定することができる。従って、節水化の要請により、洗浄水タンク１８内に貯水される洗浄水の量が低減される場合にも、操作ワイヤ３８を引き上げる引き上げ量を高精度且つ安定して設定することができ、洗浄水タンク１８から排出される洗浄水量を精確に設定することができ、規定量以上の洗浄水が流れてしまうことを防ぐことができ、便器本体２の洗浄能力を安定させ且つ洗浄能力を高く維持することができる。
【００５９】
なお、本実施形態においては、排水弁駆動ユニット３４は、回転軸部３０に取り付けられる回転歯車部材４６と、回転歯車部材４６の回転が歯車（ギヤ）を介して伝達される回転巻取部材４８と、を備えているギヤ式の排水弁駆動ユニットを構成しているが、他の実施形態においては、排水弁駆動ユニット３４は、回転軸部３０に取り付けられる回転歯車部材４６と、追加の１個又は２個以上の歯車（ギヤ）と、回転歯車部材４６の回転がこの追加の１個又は２個以上の歯車（ギヤ）を介して伝達される回転巻取部材４８と、を備えているギヤ式の排水弁駆動ユニットを構成していてもよい。
また、他の実施形態においては、排水弁駆動ユニット３４は、回転軸部３０を回転させるように電動の回転操作力が回転軸部３０に伝達される電動モーター（駆動源）と、この回転軸部３０に取り付けられる回転歯車部材４６と、回転歯車部材４６の回転が伝達される回転巻取部材４８と、を備えているギヤ式の排水弁駆動ユニットを構成していてもよい。
【００６０】
図９に示すように、カバー部４０は、回転軸部ガイド３２と係合し且つ回転軸部ガイド３２を洗浄水タンク１８に固定させるように形成されている。
【００６１】
次に、図１１及び図１２に示すように、回転軸部３０について説明する。
回転軸部３０は、中空構造体６２のハンドル側端部近傍の外方に突出するように形成され且つねじ６８によりハンドル２６に取付けられるハンドル固定部６４と、この中空構造体６２のハンドル側端部の外側部分に形成され且つハンドル２６の回転軸部係合部の溝部７０と嵌合するハンドル取付部６６と、この中空構造体６２のタンク内部側端部の外側部分に形成され且つギヤ式の排水弁駆動ユニットのギヤを取付けるギヤ取付部７２と、を備えている。
【００６２】
中空構造体６２は、ギヤ式の排水弁駆動ユニットの回転歯車部材４６（ギヤ）をギヤ取付部７２に取付ける場合には、ハンドル２６の回転力を回転歯車部材４６に伝達する機能を有している。
【００６３】
ハンドル固定部６４は、ねじ６８を貫通させた状態で、ねじ６８をハンドル２６に形成されたねじ穴８０に係合させ且つ締め付けることにより、回転軸部３０とハンドル２６とを固定することができる。
【００６４】
ハンドル取付部６６は、ハンドル側端部の外周面の少なくとも一部において、外歯を形成している。ハンドル取付部６６は、ハンドル固定部６４よりもハンドル２６側まで延び、ハンドル２６内に第１の長さＬ１まで挿入されるようにしてハンドル２６の回転軸部係合部７６の溝部７０と嵌合する。
【００６５】
ギヤ取付部７２は、 回転軸部３０の先端部分の外周面に形成されている。ギヤ取付部７２の外周の少なくとも一部において、外歯が形成されている。ギヤ取付部７２は、排水弁駆動ユニット３４の回転歯車部材４６の回転軸部取付部５２と係合するようになっている。
【００６６】
なお、図６に示すように、ハンドル２６は、後述するハンドル固定部６４を固定するためのねじ６８を挿入するねじ穴８０を形成している。ハンドル２６には、２つのねじ穴８０が形成されている。本実施形態において、操作装置２８のハンドル２６が洗浄水タンク１８の左側の外面に取付けられる場合には、ハンドル固定部６４をねじ６８により洗浄水タンク１８の左側取付け用のねじ穴８０ａに取付ける。他の実施形態において、操作装置２８のハンドル２６が洗浄水タンク１８の右側の外面に取付けられる場合には、ハンドル固定部６４をねじ６８により洗浄水タンク１８の右側取付け用のねじ穴８０ｂに取付ける。よって、同じ回転軸部３０を異なる向きにより固定することができ、共通の回転軸部３０を使用して、洗浄水タンク１８の左側取付け用及び右側取付け用の操作装置２８を構成することができる。
【００６７】
上述のように、本発明の一実施形態による操作装置２８には、アーム式の排水弁駆動ユニット３３又はギヤ式の排水弁駆動ユニット３４のいずれかを適用して操作装置を構成することができる。このとき、操作装置２８にアーム式の排水弁駆動ユニット３３又はギヤ式の排水弁駆動ユニット３４のいずれを適用するかによらず、図３及び図８に示すように、ハンドル２６、回転軸部３０、回転軸部ガイド３２、カバー部４０及びナット４２の全て又は少なくとも一部（例えば回転軸部３０）を共通化して操作装置を製造することができる。従って、製造部品を共通化することができ、製造コストも安くすることができる。
【００６８】
また、本発明の一実施形態による操作装置２８は、アーム式の排水弁駆動ユニット３３を回転軸部３０から取り外し且つギヤ式の排水弁駆動ユニット３４を取付けることによっても操作装置２８を構成することができる。さらに、本発明の一実施形態による操作装置２８は、ギヤ式の排水弁駆動ユニット３４を回転軸部３０から取り外し且つアーム式の排水弁駆動ユニット３３を取付けることによっても操作装置２８を構成することができる。このように、ハンドル２６、回転軸部３０、回転軸部ガイド３２、カバー部４０及びナット４２の全て又は少なくとも一部（例えば回転軸部３０）を残したまま、排水弁駆動ユニットのみを取り替えることができる。従って、操作装置全体をセットで取り替えるコスト及び手間を減らすことができ、より安価で、且つ簡単に、アーム式の排水弁駆動ユニット３３又はギヤ式の排水弁駆動ユニット３４を異なるタイプに取り替えることができる。
さらに、本発明の一実施形態による操作装置２８は、アーム式の排水弁駆動ユニット３３をギヤ式の排水弁駆動ユニット３４に取り替える場合においては、アーム部材３９を回転軸部３０の先端の位置で金のこ等で切断して基部３９ａを回転軸部３０内に残したままの状態で、ギヤ式の排水弁駆動ユニット３４を回転軸部３０のギヤ取付部７２に取付けることができる。従って、アーム部材３９をハンドル２６から取り外す手間をなくし、非常に簡潔な方法且つ迅速にアーム式の排水弁駆動ユニット３３からギヤ式の排水弁駆動ユニット３４に変更することができる。
【００６９】
上述した本発明の一実施形態による操作装置２８によれば、回転軸部３０は、中空構造体６２の外側に形成されたギヤ取付部７２によりギヤ式の排水弁駆動ユニット３４の回転歯車部材４６を取付けることができ、且つ中空構造体６２の内側に形成されたアーム支持部分を通してアーム式の排水弁駆動ユニット３３のアーム部材３９をハンドル２６に取付けることができるので、ギヤ式の排水弁駆動ユニット３４及びアーム式の排水弁駆動ユニット３３のいずれも取付けることができ、また、ギヤ式の排水弁駆動ユニット３３及びアーム式の排水弁駆動ユニット３４のいずれか一方からいずれか他方に排水弁駆動ユニットを自由に交換することができる。
【００７０】
また、本発明の一実施形態による操作装置２８によれば、ハンドル２６のアーム受け部７８及びこのアーム受け部７８に取り付けられるアーム部材３９の少なくとも一方がくさび形状に形成されているので、アーム部材３９をアーム受け部７８に強固に固定することができる。
【００７１】
さらに、本発明の一実施形態による操作装置２８によれば、中空構造体６２とハンドル２６とのハンドル固定部６４の少なくとも一部分が切欠き部６２ａ内に配置されるので、中空構造体６２とハンドル２６とのハンドル固定部６４の半径方向の寸法の増大を抑制することができ、中空構造体６２とハンドル２６とを比較的小さい大きさに形成することができる。
【００７２】
また、本発明の一実施形態による操作装置２８によれば、ハンドル２６がハンドル固定部６４をネジ６８により取り付ける２つのねじ穴８０を形成しているので、ハンドル２６を洗浄水タンク１８の左側又は右側のいずれの外面に取付けられるかに対応して、中空構造体６２から外方に延びるハンドル固定部６４をいずれのねじ穴８０に固定するかによって、操作装置の中空構造体６２及び先端部３９ｂの向きを適切な向きに選択することができる。
【００７３】
さらに、本発明の一実施形態による操作装置２８によれば、中空構造体６２の中央部分７４ａの内径が、タンク内部側端部７４ｃの内径よりも小さくなるように形成されているので、中空構造体６２の中央部分７４ａの肉厚を厚くさせることができ、中空構造体６２の回転に起因するねじれや折れ等に対する強度を向上させることができる。
【００７４】
つぎに、本発明は、上記操作装置２８を備えたことと特徴とする洗浄水タンク装置１６である。
このように構成された本発明においては、上記操作装置２８を備えた洗浄水タンク装置１６を提供することができる。
【００７５】
つぎに、本発明は、上記洗浄水タンク装置１６を備えたことを特徴とする水洗大便器１である。
このように構成された本発明においては、上記操作装置２８を備えた洗浄水タンク装置１６を備えている水洗大便器１を提供することができる。
【符号の説明】
【００７６】
１            水洗大便器
２            便器本体
４            ボウル部
６            排水トラップ管路
６ａ          入口
８            リム
１０          第１吐水口
１２          溜水部
１４          第２吐水口
１６          洗浄水タンク装置
１８          洗浄水タンク
１８ａ        左側側面
１８ｂ        壁
１８ｃ        右側側面
１８ｄ        前面
２０          排水口
２２          洗浄水供給装置
２４          排水弁装置
２６          ハンドル
２６ａ        手部分
２８          操作装置
３０          回転軸部
３０ａ        凸部
３２          回転軸部ガイド
３３          アーム式の排水弁駆動ユニット
３４          ギヤ式の排水弁駆動ユニット
３６          止め輪
３７          鎖
３８          操作ワイヤ
３８ａ        駆動ユニット側端部
３９          アーム部材
３９ａ        基部
３９ｂ        先端部
３９ｃ        屈曲部
３９ｄ        基部両側面
４０          カバー部
４２          ナット
４４          チューブ
４６          回転歯車部材
４８          回転巻取部材
４８ａ        第一外周部
４８ｂ        第二外周部
５０          カバー部材
５０ａ        チューブ取付部
５２          回転軸部取付部
５４          第一歯車部
５６          第二歯車部
５８          回転巻取部
５８ａ        プーリー部
６０          固定部
６２          中空構造体
６２ａ        切欠き部
６４          ハンドル固定部
６６          ハンドル取付部
７０          溝部
７２          ギヤ取付部
７４          アーム通過部
７４ａ        中央部分
７４ｂ        ハンドル側端部
７４ｃ        タンク内部側端部
７６          回転軸部係合部
７８          アーム受け部
７８ａ        穴部両側面
７８ｂ        面
８０          ねじ穴
８０ａ        左側取付け用の穴
８０ｂ        右側取付け用のねじ穴
Ｃ            回転軸心
Ｄ１          内径
Ｄ２          内径
Ｄ３          内径
Ｗ０          溜水面
ＷＬ          満水水位
【図１】
2017166163.tif 000003
【図２】
2017166163.tif 000004
【図３】
2017166163.tif 000005
【図４】
2017166163.tif 000006
【図５】
2017166163.tif 000007
【図６】
2017166163.tif 000008
【図７】
2017166163.tif 000009
【図８】
2017166163.tif 000010
【図９】
2017166163.tif 000011
【図１０】
2017166163.tif 000012
【図１１】
2017166163.tif 000013
【図１２】
2017166163.tif 000014